【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、前記方法は、
ビットストリームからシンタックス要素を構文解析することと、前記ビットストリームは、前記ビデオデータ中にピクチャのコード化表現を含み、前記ピクチャは、コード化ツリーブロック（ＣＴＢ）のグリッドに区分され、各ＣＴＢは、前記ピクチャ内の画素の様々な等しいサイズのブロックに関連付けられる、
前記シンタックス要素が特定の値を有すると決定したことに応答して、波面並列処理（ＷＰＰ）を使用して前記ピクチャを完全に復号することと、ここにおいて、ＷＰＰを使用して復号することは、すぐ上の行の２つ以上のＣＴＢが復号された後に、行のＣＴＢを左から右に復号することを備え、前記ピクチャはタイルに区分されない、
前記シンタックス要素が前記特定の値を有しないと決定したことに応答して、ＷＰＰを使用せずに前記ピクチャの各タイルを復号することと、前記ピクチャは１つ以上のタイルを有する、
を備える、方法。
【請求項２】
前記シンタックス要素が前記特定の値を有しないと決定したことに応答して、
前記ピクチャは、少なくとも第１のタイルと第２のタイルとに区分され、ＷＰＰを使用せずに前記ピクチャの各タイルを復号することは、前記第１のタイルのＣＴＢと前記第２のタイルのＣＴＢとを並列に復号することを備える、及び
前記方法は、
パラメータセットがタイル列数シンタックス要素とタイル行数シンタックス要素とを含むと決定することと、
前記タイル列数シンタックス要素に基づいて、タイル列の指定された数を決定することと、ここにおいて、前記パラメータセットに関連する各ピクチャのタイルの列の数がタイル列の前記指定された数に等しい、
前記タイル行数シンタックス要素に基づいて、タイル行の指定された数を決定することと、前記パラメータセットに関連する各ピクチャのタイルの行の数がタイル行の前記指定された数に等しい、
を更に備える、の少なくとも一方である、請求項１に記載の方法。
【請求項３】
前記シンタックス要素が第１のシンタックス要素であり、前記特定の値が第１の値であり、前記方法は、第２の値を有する前記第１のシンタックス要素に基づいて、前記ピクチャがただ１つのタイルを含み、前記ビットストリームが第２のシンタックス要素を含むと決定することを更に備え、前記第２のシンタックス要素は、エントロピースライスが、前記第１のシンタックス要素と前記第２のシンタックス要素とを含むパラメータセットを参照する前記ピクチャの符号化表現のために有効化されるかどうかを示す、請求項１に記載の方法。
【請求項４】
前記ビットストリームが、前記ピクチャのスライスのコード化表現を含むコード化スライスＮＡＬ単位を含み、前記コード化スライスＮＡＬ単位がスライスヘッダとスライスデータとを備え、前記方法は、
前記シンタックス要素に少なくとも部分的に基づいて、前記スライスヘッダが複数のオフセットシンタックス要素を含むかどうかを決定することと、
前記スライスヘッダが前記複数のオフセットシンタックス要素を含むと決定したことに応答して、前記スライスデータ中のサブストリームのエントリポイントを決定するために前記複数のオフセットシンタックス要素を使用することとを更に備え、前記シンタックス要素が前記特定の値を有する場合、前記ピクチャ中のＣＴＢの各行が前記サブストリームのうちのただ１つによって表され、前記シンタックス要素が前記特定の値を有しない場合、前記スライス中に１つ以上のＣＴＢを有する前記ピクチャの各タイルが前記サブストリームのうちのただ１つによって表される、
又は、
前記ビットストリームが、複数のサブストリームを含むコード化スライスＮＡＬ単位を含み、前記シンタックス要素が前記特定の値を有する場合、前記ピクチャ中のＣＴＢの各行が前記サブストリームのうちのただ１つによって表され、前記シンタックス要素が前記特定の値を有しない場合、前記スライス中に１つ以上のＣＴＢを有する前記ピクチャの各タイルが前記サブストリームのうちのただ１つによって表され、前記方法は、前記シンタックス要素に少なくとも部分的に基づいて、前記サブストリームが、前記サブストリームのバイト整合を保証するパディングビットを含むかどうかを決定することを更に備える、
のいずれかである、請求項１に記載の方法。
【請求項５】
ＷＰＰを使用して前記ピクチャを復号することは、
第１のＣＴＢが単一のＣＴＢによって前記ピクチャの左境界から分離されると決定したことに応答して、前記第１のＣＴＢに関連するコンテキスト変数を記憶することと、
前記第１のＣＴＢに関連する前記コンテキスト変数に少なくとも部分的に基づいて、第２のＣＴＢの１つ以上のシンタックス要素をエントロピー復号することと、前記第２のＣＴＢが、前記ピクチャの前記左境界に隣接し、ＣＴＢの１行だけ前記第１のＣＴＢよりも低い、
を備える、請求項１に記載の方法。
【請求項６】
ビデオデータを符号化するための方法であって、前記方法は、ピクチャが第１のコード化モードに従って符号化されるか第２のコード化モードに従って符号化されるかを示すシンタックス要素を含むビットストリームを生成することを備え、前記ピクチャは、コード化ツリーブロック（ＣＴＢ）のグリッドに区分され、各々は、前記ピクチャ内の画素の様々な等しいサイズのブロックに関連付けられ、
前記第１のコード化モードでは、前記ピクチャが、波面並列処理（ＷＰＰ）を使用して完全に符号化され、ここにおいて、ＷＰＰを使用して符号化することは、すぐ上の行の２つ以上のＣＴＢが符号化された後に、行のＣＴＢを左から右に符号化することを備え、前記ピクチャはタイルに区分されない、
前記第２のコード化モードでは、前記ピクチャの各タイルが、ＷＰＰを使用せずに符号化され、前記ピクチャが１つ以上のタイルを有する、方法。
【請求項７】
前記ピクチャは、前記第２のコード化モードに従って符号化され、
前記ピクチャは、少なくとも第１のタイルと第２のタイルとに区分され、前記方法は、前記第１のタイルのコード化ツリーブロック（ＣＴＢ）と前記第２のタイルのＣＴＢとを並列に符号化すること、及び
前記ビットストリームを生成することは、タイル列数シンタックス要素とタイル行数シンタックス要素とを含むパラメータセットを生成することの少なくとも一方を備え、タイル列の前記数が前記タイル列数シンタックス要素に基づいて決定可能であり、前記パラメータセットに関連する各ピクチャのタイルの列の前記数がタイル列の前記数に等しく、タイル行の前記数が前記タイル行数シンタックス要素に基づいて決定可能であり、前記パラメータセットに関連する各ピクチャのタイルの行の前記数がタイル行の前記数に等しい、
請求項６に記載の方法。
【請求項８】
前記シンタックス要素が第１のシンタックス要素であり、前記シンタックス要素は、前記ピクチャが前記第２のコード化モードに従って符号化されることを示し、前記ピクチャが単一のタイルに区分され、前記ビットストリームが第２のシンタックス要素を含み、前記第２のシンタックス要素は、エントロピースライスが、前記第１のシンタックス要素と前記第２のシンタックス要素とを含むパラメータセットを参照する前記ピクチャの符号化表現のために有効化されるかどうかを示す、請求項６に記載の方法。
【請求項９】
前記ビットストリームを生成することは、
前記ピクチャのスライスのコード化表現を含むコード化スライスＮＡＬ単位を生成すること、前記コード化スライスＮＡＬ単位がスライスヘッダとスライスデータとを備え、前記スライスヘッダは、前記スライスデータ中のサブストリームのエントリポイントがそれから決定可能である複数のオフセットシンタックス要素を含み、ここにおいて、前記シンタックス要素が、前記ピクチャが前記第１のコード化モードで符号化されることを示す場合、前記ピクチャ中のＣＴＢの各行が前記サブストリームのうちのただ１つによって表され、前記シンタックス要素が、前記ピクチャが前記第２のコード化モードで符号化されることを示す場合、前記スライス中に１つ以上のＣＴＢを有する前記ピクチャの各タイルが前記サブストリームのうちのただ１つによって表される、又は
複数のサブストリームを含むコード化スライスＮＡＬ単位を生成すること、前記シンタックス要素が、前記ピクチャが前記第１のコード化モードで符号化されることを示す場合、前記ピクチャ中のＣＴＢの各行が前記サブストリームのうちのただ１つによって表され、前記サブストリームが、前記サブストリームのバイト整合を保証するパディングビットを含む、
のいずれかを備える、請求項６に記載の方法。
【請求項１０】
前記ピクチャを符号化するためにＷＰＰを使用することを更に備え、前記ピクチャを符号化するためにＷＰＰを使用することは、
第１のＣＴＢが単一のＣＴＢによって前記ピクチャの左境界から分離されると決定したことに応答して、前記第１のＣＴＢに関連するコンテキスト変数を記憶することと、
前記第１のＣＴＢに関連する前記コンテキスト変数に少なくとも部分的に基づいて、第２のＣＴＢの１つ以上のシンタックス要素をエントロピー符号化することと、前記第２のＣＴＢが、前記ピクチャの前記左境界に隣接し、ＣＴＢの１行だけ前記第１のＣＴＢよりも低い、
を備える、請求項６に記載の方法。
【請求項１１】
１つ以上のプロセッサによって実行されると、機器に、請求項１ないし１０のいずれか一項に記載の方法を実行させる命令を記憶したコンピュータ可読記憶媒体。
【請求項１２】
ビットストリームからシンタックス要素を構文解析するための手段と、前記ビットストリームは、ビデオデータ中にピクチャのコード化表現を含み、前記ピクチャは、コード化ツリーブロック（ＣＴＢ）のグリッドに区分され、各ＣＴＢは、前記ピクチャ内の画素の様々な等しいサイズのブロックに関連付けられる、
前記シンタックス要素が特定の値を有すると決定したことに応答して、波面並列処理（ＷＰＰ）を使用して前記ピクチャを完全に復号するための手段と、ここにおいて、ＷＰＰを使用して復号することは、すぐ上の行の２つ以上のＣＴＢが復号された後に、行のＣＴＢを左から右に復号することを備え、前記ピクチャはタイルに区分されない、
前記シンタックス要素が前記特定の値を有しないと決定したことに応答して、ＷＰＰを使用せずに前記ピクチャの各タイルを復号するための手段と、前記ピクチャは１つ以上のタイルを有する、
を備えるビデオ復号機器。
【請求項１３】
請求項２ないし５のいずれか一項に記載の方法を実行するための手段を備える、請求項１２に記載のビデオ復号機器。
【請求項１４】
ピクチャが第１のコード化モードに従って符号化されるか第２のコード化モードに従って符号化されるかを示すシンタックス要素を含むビットストリームを生成するための手段を備え、前記ピクチャは、コード化ツリーブロック（ＣＴＢ）のグリッドに区分され、各々は、前記ピクチャ内の画素の様々な等しいサイズのブロックに関連付けられ、
前記第１のコード化モードでは、前記ピクチャが、波面並列処理（ＷＰＰ）を使用して完全に符号化され、ここにおいて、ＷＰＰを使用して符号化することは、すぐ上の行の２つ以上のＣＴＢが符号化された後に、行のＣＴＢを左から右に符号化することを備え、前記ピクチャはタイルに区分されない、
前記第２のコード化モードでは、前記ピクチャの各タイルが、ＷＰＰを使用せずに符号化され、前記ピクチャが１つ以上のタイルを有する、ビデオ符号化機器。
【請求項１５】
請求項７ないし１０のいずれか一項に記載の方法を実行するための手段を備える、請求項１４に記載のビデオ復号機器。
【手続補正２】
【補正対象書類名】明細書
【補正対象項目名】０１８７
【補正方法】変更
【補正の内容】
【０１８７】
[0197]様々な例について説明した。これら及び他の例は以下の特許請求の範囲内に入る。
以下に、本願出願の当初の特許請求の範囲に記載された発明を付記する。
［Ｃ１］  ビデオデータを復号するための方法であって、前記方法は、
前記ビデオデータ中にピクチャのコード化表現を含むビットストリームからシンタックス要素を構文解析することと、
前記シンタックス要素が特定の値を有すると決定したことに応答して、波面並列処理（ＷＰＰ）を使用して前記ピクチャを完全に復号することと、
前記シンタックス要素が前記特定の値を有しないと決定したことに応答して、ＷＰＰを使用せずに前記ピクチャの各タイルを復号することと、前記ピクチャが１つ以上のタイルを有する、を備える、方法。
［Ｃ２］  前記ビットストリームから、前記シンタックス要素を含むピクチャパラメータセットを構文解析することを更に備える、Ｃ１に記載の方法。
［Ｃ３］  前記ビットストリームから、前記シンタックス要素を含むシーケンスパラメータセットを構文解析することを更に備える、Ｃ１に記載の方法。
［Ｃ４］  前記ピクチャが少なくとも第１のタイルと第２のタイルとに区分され、ＷＰＰを使用せずに前記ピクチャの各タイルを復号することが、前記第１のタイルのコード化ツリーブロック（ＣＴＢ）と前記第２のタイルのＣＴＢとを並列に復号することを備える、Ｃ１に記載の方法。
［Ｃ５］  パラメータセットがタイル列数シンタックス要素とタイル行数シンタックス要素とを含むと決定することと、
前記タイル列数シンタックス要素に基づいて、タイル列の指定された数を決定することと、前記パラメータセットに関連する各ピクチャのタイルの列の数がタイル列の前記指定された数に等しい、
前記タイル行数シンタックス要素に基づいて、タイル行の指定された数を決定することと、前記パラメータセットに関連する各ピクチャのタイルの行の数がタイル行の前記指定された数に等しい、を更に備える、Ｃ１に記載の方法。
［Ｃ６］  前記シンタックス要素が第１のシンタックス要素であり、前記特定の値が第１の値であり、前記方法は、第２の値を有する前記第１のシンタックス要素に基づいて、前記ピクチャがただ１つのタイルを含み、前記ビットストリームが第２のシンタックス要素を含むと決定することを更に備え、前記第２のシンタックス要素は、エントロピースライスが、前記第１のシンタックス要素と前記第２のシンタックス要素とを含むパラメータセットを参照する前記ピクチャの符号化表現のために有効化されるかどうかを示す、Ｃ１に記載の方法。
［Ｃ７］  前記ビットストリームが、前記ピクチャのスライスのコード化表現を含むコード化スライスＮＡＬ単位を含み、前記コード化スライスＮＡＬ単位がスライスヘッダとスライスデータとを備え、前記方法は、
前記シンタックス要素に少なくとも部分的に基づいて、前記スライスヘッダが複数のオフセットシンタックス要素を含むかどうかを決定することと、
前記スライスヘッダが前記複数のオフセットシンタックス要素を含むと決定したことに応答して、前記スライスデータ中のサブストリームのエントリポイントを決定するために前記複数のオフセットシンタックス要素を使用することとを更に備え、前記シンタックス要素が前記特定の値を有する場合、前記ピクチャ中のＣＴＢの各行が前記サブストリームのうちのただ１つによって表され、前記シンタックス要素が前記特定の値を有しない場合、前記スライス中に１つ以上のＣＴＢを有する前記ピクチャの各タイルが前記サブストリームのうちのただ１つによって表される、Ｃ１に記載の方法。
［Ｃ８］  前記ビットストリームが、複数のサブストリームを含むコード化スライスＮＡＬ単位を含み、前記シンタックス要素が前記特定の値を有する場合、前記ピクチャ中のＣＴＢの各行が前記サブストリームのうちのただ１つによって表され、前記シンタックス要素が前記特定の値を有しない場合、前記スライス中に１つ以上のＣＴＢを有する前記ピクチャの各タイルが前記サブストリームのうちのただ１つによって表され、
前記方法は、前記シンタックス要素に少なくとも部分的に基づいて、前記サブストリームが、前記サブストリームのバイト整合を保証するパディングビットを含むかどうかを決定することを更に備える、Ｃ１に記載の方法。
［Ｃ９］  ＷＰＰを使用して前記ピクチャを復号することは、
第１のＣＴＢが単一のＣＴＢによって前記ピクチャの左境界から分離されると決定したことに応答して、前記第１のＣＴＢに関連するコンテキスト変数を記憶することと、
前記第１のＣＴＢに関連する前記コンテキスト変数に少なくとも部分的に基づいて、第２のＣＴＢの１つ以上のシンタックス要素をエントロピー復号することと、前記第２のＣＴＢが、前記ピクチャの前記左境界に隣接し、ＣＴＢの１行だけ前記第１のＣＴＢよりも低い、を備える、Ｃ１に記載の方法。
［Ｃ１０］  ビデオデータを符号化するための方法であって、前記方法は、ピクチャが第１のコード化モードに従って符号化されるか第２のコード化モードに従って符号化されるかを示すシンタックス要素を含むビットストリームを生成することを備え、
前記第１のコード化モードでは、前記ピクチャが、波面並列処理（ＷＰＰ）を使用して完全に符号化され、
前記第２のコード化モードでは、前記ピクチャの各タイルが、ＷＰＰを使用せずに符号化され、前記ピクチャが１つ以上のタイルを有する、方法。
［Ｃ１１］  前記ビットストリームを生成することが、前記シンタックス要素を含むピクチャパラメータセットを生成することを備える、Ｃ１０に記載の方法。
［Ｃ１２］  前記ビットストリームを生成することが、前記シンタックス要素を含むシーケンスパラメータセットを生成することを備える、Ｃ１０に記載の方法。
［Ｃ１３］  前記ピクチャが少なくとも第１のタイルと第２のタイルとに区分され、前記方法が、前記第１のタイルのコード化ツリーブロック（ＣＴＢ）と前記第２のタイルのＣＴＢとを並列に符号化することを更に備える、Ｃ１０に記載の方法。
［Ｃ１４］  前記ピクチャが前記第２のコード化モードに従って符号化され、
前記ビットストリームを生成することが、タイル列数シンタックス要素とタイル行数シンタックス要素とを含むパラメータセットを生成することを備え、
タイル列の前記数が前記タイル列数シンタックス要素に基づいて決定可能であり、前記パラメータセットに関連する各ピクチャのタイルの列の前記数がタイル列の前記数に等しく、
タイル行の前記数が前記タイル行数シンタックス要素に基づいて決定可能であり、前記パラメータセットに関連する各ピクチャのタイルの行の前記数がタイル行の前記数に等しい、Ｃ１０に記載の方法。
［Ｃ１５］  前記シンタックス要素が第１のシンタックス要素であり、前記シンタックス要素は、前記ピクチャが前記第２のコード化モードに従って符号化されることを示し、前記ピクチャが単一のタイルに区分され、前記ビットストリームが第２のシンタックス要素を含み、前記第２のシンタックス要素は、エントロピースライスが、前記第１のシンタックス要素と前記第２のシンタックス要素とを含むパラメータセットを参照する前記ピクチャの符号化表現のために有効化されるかどうかを示す、Ｃ１０に記載の方法。
［Ｃ１６］  前記ビットストリームを生成することが、前記ピクチャのスライスのコード化表現を含むコード化スライスＮＡＬ単位を生成することを備え、前記コード化スライスＮＡＬ単位がスライスヘッダとスライスデータとを備え、
前記スライスヘッダは、前記スライスデータ中のサブストリームのエントリポイントがそれから決定可能である複数のオフセットシンタックス要素を含み、前記シンタックス要素は、前記ピクチャが前記第１のコード化モードで符号化されることを示す場合、前記ピクチャ中のＣＴＢの各行が前記サブストリームのうちのただ１つによって表され、前記シンタックス要素は、前記ピクチャが前記第２のコード化モードで符号化されることを示す場合、前記スライス中に１つ以上のＣＴＢを有する前記ピクチャの各タイルが前記サブストリームのうちのただ１つによって表される、Ｃ１０に記載の方法。
［Ｃ１７］  前記ビットストリームを生成することが、複数のサブストリームを含むコード化スライスＮＡＬ単位を生成することを備え、前記シンタックス要素は、前記ピクチャが前記第１のコード化モードで符号化されることを示す場合、前記ピクチャ中のＣＴＢの各行が前記サブストリームのうちのただ１つによって表され、前記サブストリームが、前記サブストリームのバイト整合を保証するパディングビットを含む、Ｃ１０に記載の方法。
［Ｃ１８］  前記ピクチャを符号化するためにＷＰＰを使用することを更に備え、前記ピクチャを符号化するためにＷＰＰを使用することは、
第１のＣＴＢが単一のＣＴＢによって前記ピクチャの左境界から分離されると決定したことに応答して、前記第１のＣＴＢに関連するコンテキスト変数を記憶することと、
前記第１のＣＴＢに関連する前記コンテキスト変数に少なくとも部分的に基づいて、第２のＣＴＢの１つ以上のシンタックス要素をエントロピー符号化することと、前記第２のＣＴＢが、前記ピクチャの前記左境界に隣接し、ＣＴＢの１行だけ前記第１のＣＴＢよりも低い、を備える、Ｃ１０に記載の方法。
［Ｃ１９］  ビデオデータ中にピクチャのコード化表現を含むビットストリームからシンタックス要素を構文解析することと、
前記シンタックス要素が特定の値を有すると決定したことに応答して、波面並列処理（ＷＰＰ）を使用して前記ピクチャを完全に復号することと、
前記シンタックス要素が前記特定の値を有しないと決定したことに応答して、ＷＰＰを使用せずに前記ピクチャの各タイルを復号することと、前記ピクチャが１つ以上のタイルを有する、を行うように構成された１つ以上のプロセッサを備えるビデオ復号装置。
［Ｃ２０］  前記１つ以上のプロセッサが、前記ビットストリームから、前記シンタックス要素を含むピクチャパラメータセットを構文解析するように構成された、Ｃ１９に記載のビデオ復号装置。
［Ｃ２１］  前記１つ以上のプロセッサが、前記ビットストリームから、前記シンタックス要素を含むシーケンスパラメータセットを構文解析するように構成された、Ｃ１９に記載のビデオ復号装置。
［Ｃ２２］  前記ピクチャが少なくとも第１のタイルと第２のタイルとに区分され、前記１つ以上のプロセッサは、前記１つ以上のプロセッサがＷＰＰを使用せずに前記ピクチャの各タイルを復号するとき、前記１つ以上のプロセッサが、前記第１のタイルのコード化ツリーブロック（ＣＴＢ）と前記第２のタイルのＣＴＢとを並列に復号するように構成された、Ｃ１９に記載のビデオ復号装置。
［Ｃ２３］  前記１つ以上のプロセッサは、
パラメータセットがタイル列数シンタックス要素とタイル行数シンタックス要素とを含むと決定することと、
前記タイル列数シンタックス要素に基づいて、タイル列の指定された数を決定することと、前記パラメータセットに関連する各ピクチャのタイルの列の数がタイル列の前記指定された数に等しい、
前記タイル行数シンタックス要素に基づいて、タイル行の指定された数を決定することと、前記パラメータセットに関連する各ピクチャのタイルの行の数がタイル行の前記指定された数に等しい、を行うように更に構成された、Ｃ１９に記載のビデオ復号装置。
［Ｃ２４］  前記シンタックス要素が第１のシンタックス要素であり、前記特定の値が第１の値であり、前記１つ以上のプロセッサは、第２の値を有する前記第１のシンタックス要素に基づいて、前記ピクチャがただ１つのタイルを含み、前記ビットストリームが第２のシンタックス要素を含むと決定するように構成され、前記第２のシンタックス要素は、エントロピースライスが、前記第１のシンタックス要素と前記第２のシンタックス要素とを含むパラメータセットを参照する前記ピクチャの符号化表現のために有効化されるかどうかを示す、Ｃ１９に記載のビデオ復号装置。
［Ｃ２５］  前記ビットストリームが、前記ピクチャのスライスのコード化表現を含むコード化スライスＮＡＬ単位を含み、前記コード化スライスＮＡＬ単位がスライスヘッダとスライスデータとを備え、前記１つ以上のプロセッサは、
前記シンタックス要素に少なくとも部分的に基づいて、前記スライスヘッダが複数のオフセットシンタックス要素を含むかどうかを決定することと、
前記スライスヘッダが前記複数のオフセットシンタックス要素を含むと決定したことに応答して、前記スライスデータ中のサブストリームのエントリポイントを決定するために前記複数のオフセットシンタックス要素を使用することとを行うように更に構成され、前記シンタックス要素が前記特定の値を有する場合、前記ピクチャ中のＣＴＢの各行が前記サブストリームのうちのただ１つによって表され、前記シンタックス要素が前記特定の値を有しない場合、前記スライス中に１つ以上のＣＴＢを有する前記ピクチャの各タイルが前記サブストリームのうちのただ１つによって表される、Ｃ１９に記載のビデオ復号装置。
［Ｃ２６］  前記ビットストリームが、複数のサブストリームを含むコード化スライスＮＡＬ単位を含み、前記シンタックス要素が前記特定の値を有する場合、前記ピクチャ中のＣＴＢの各行が前記サブストリームのうちのただ１つによって表され、前記シンタックス要素が前記特定の値を有しない場合、前記スライス中に１つ以上のＣＴＢを有する前記ピクチャの各タイルが前記サブストリームのうちのただ１つによって表され、
前記前記１つ以上のプロセッサは、前記シンタックス要素に少なくとも部分的に基づいて、前記サブストリームが、前記サブストリームのバイト整合を保証するパディングビットを含むかどうかを決定するように更に構成された、Ｃ１９に記載のビデオ復号装置。
［Ｃ２７］  前記１つ以上のプロセッサが、前記ピクチャを復号するためにＷＰＰを使用するとき、前記１つ以上のプロセッサは、
第１のＣＴＢが単一のＣＴＢによって前記ピクチャの左境界から分離されると決定したことに応答して、前記第１のＣＴＢに関連するコンテキスト変数を記憶することと、
前記第１のＣＴＢに関連する前記コンテキスト変数に少なくとも部分的に基づいて、第２のＣＴＢの１つ以上のシンタックス要素をエントロピー復号することと、前記第２のＣＴＢが、前記ピクチャの前記左境界に隣接し、ＣＴＢの１行だけ前記第１のＣＴＢよりも低い、を行う、Ｃ１９に記載のビデオ復号装置。
［Ｃ２８］  ピクチャが第１のコード化モードに従って符号化されるか第２のコード化モードに従って符号化されるかを示すシンタックス要素を含むビットストリームを生成するように構成された１つ以上のプロセッサを備えるビデオ符号化装置であって、
前記第１のコード化モードでは、前記ピクチャが、波面並列処理（ＷＰＰ）を使用して完全に符号化され、
前記第２のコード化モードでは、前記ピクチャの各タイルが、ＷＰＰを使用せずに符号化され、前記ピクチャが１つ以上のタイルを有する、ビデオ符号化装置。
［Ｃ２９］  前記１つ以上のプロセッサが、前記シンタックス要素を含むピクチャパラメータセットを生成するように構成された、Ｃ２８に記載のビデオ符号化装置。
［Ｃ３０］  前記１つ以上のプロセッサが、前記シンタックス要素を含むシーケンスパラメータセットを生成するように構成された、Ｃ２８に記載のビデオ符号化装置。
［Ｃ３１］  前記ピクチャが少なくとも第１のタイルと第２のタイルとに区分され、前記１つ以上のプロセッサが、前記第１のタイルのコード化ツリーブロック（ＣＴＢ）と前記第２のタイルのＣＴＢとを並列に符号化するように更に構成された、Ｃ２８に記載のビデオ符号化装置。
［Ｃ３２］  前記ピクチャが前記第２のコード化モードに従って符号化され、
前記１つ以上のプロセッサが、タイル列数シンタックス要素とタイル行数シンタックス要素とを含むパラメータセットを生成するように構成され、
タイル列の前記数が前記タイル列数シンタックス要素に基づいて決定可能であり、前記パラメータセットに関連する各ピクチャのタイルの列の前記数がタイル列の前記数に等しく、
タイル行の前記数が前記タイル行数シンタックス要素に基づいて決定可能であり、前記パラメータセットに関連する各ピクチャのタイルの行の前記数がタイル行の前記数に等しい、Ｃ２８に記載のビデオ符号化装置。
［Ｃ３３］  前記シンタックス要素が第１のシンタックス要素であり、前記シンタックス要素は、前記ピクチャが前記第２のコード化モードに従って符号化されることを示し、前記ピクチャが単一のタイルに区分され、前記ビットストリームが第２のシンタックス要素を含み、前記第２のシンタックス要素は、エントロピースライスが、前記第１のシンタックス要素と前記第２のシンタックス要素とを含むパラメータセットを参照する前記ピクチャの符号化表現のために有効化されるかどうかを示す、Ｃ２８に記載のビデオ符号化装置。
［Ｃ３４］  前記１つ以上のプロセッサが、前記ピクチャのスライスのコード化表現を含むコード化スライスＮＡＬ単位を生成するように構成され、前記コード化スライスＮＡＬ単位がスライスヘッダとスライスデータとを備え、
前記スライスヘッダは、前記スライスデータ中のサブストリームのエントリポイントがそれから決定可能である複数のオフセットシンタックス要素を含み、前記シンタックス要素は、前記ピクチャが前記第１のコード化モードで符号化されることを示す場合、前記ピクチャ中のＣＴＢの各行が前記サブストリームのうちのただ１つによって表され、前記シンタックス要素は、前記ピクチャが前記第２のコード化モードで符号化されることを示す場合、前記スライス中に１つ以上のＣＴＢを有する前記ピクチャの各タイルが前記サブストリームのうちのただ１つによって表される、Ｃ２８に記載のビデオ符号化装置。
［Ｃ３５］  前記ビットストリームが、複数のサブストリームを含むコード化スライスＮＡＬ単位を備え、前記シンタックス要素は、前記ピクチャが前記第１のコード化モードで符号化されることを示す場合、前記ピクチャ中のＣＴＢの各行が前記サブストリームのうちのただ１つによって表され、前記サブストリームが、前記サブストリームのバイト整合を保証するパディングビットを含む、Ｃ２８に記載のビデオ符号化装置。
［Ｃ３６］  前記１つ以上のプロセッサが、前記ピクチャの各タイルの前記ＣＴＢを符号化するためにＷＰＰを使用するとき、前記１つ以上のプロセッサは、
第１のＣＴＢが単一のＣＴＢによって前記ピクチャの左境界から分離されると決定したことに応答して、前記第１のＣＴＢに関連するコンテキスト変数を記憶することと、
前記第１のＣＴＢに関連する前記コンテキスト変数に少なくとも部分的に基づいて、第２のＣＴＢの１つ以上のシンタックス要素をエントロピー符号化することと、前記第２のＣＴＢが、前記ピクチャの前記左境界に隣接し、ＣＴＢの１行だけ前記第１のＣＴＢよりも低い、を行う、Ｃ２８に記載のビデオ符号化装置。
［Ｃ３７］  ビデオデータ中にピクチャのコード化表現を含むビットストリームからシンタックス要素を構文解析するための手段と、
前記シンタックス要素が特定の値を有すると決定したことに応答して、波面並列処理（ＷＰＰ）を使用して前記ピクチャを完全に復号するための手段と、
前記シンタックス要素が前記特定の値を有しないと決定したことに応答して、ＷＰＰを使用せずに前記ピクチャの各タイルを復号するための手段と、前記ピクチャが１つ以上のタイルを有する、を備えるビデオ復号装置。
［Ｃ３８］  ピクチャが第１のコード化モードに従って符号化されるか第２のコード化モードに従って符号化されるかを示すシンタックス要素を含むビットストリームを生成するための手段を備えるビデオ符号化装置であって、
前記第１のコード化モードでは、前記ピクチャが、波面並列処理（ＷＰＰ）を使用して完全に符号化され、
前記第２のコード化モードでは、前記ピクチャの各タイルが、ＷＰＰを使用せずに符号化され、前記ピクチャが１つ以上のタイルを有する、ビデオ符号化装置。
［Ｃ３９］  ビデオ復号装置の１つ以上のプロセッサによって実行されたとき、
ビデオデータ中にピクチャのコード化表現を含むビットストリームからシンタックス要素を構文解析することと、
前記シンタックス要素が特定の値を有すると決定したことに応答して、波面並列処理（ＷＰＰ）を使用して前記ピクチャを完全に復号することと、
前記シンタックス要素が前記特定の値を有しないと決定したことに応答して、ＷＰＰを使用せずに前記ピクチャの各タイルを復号することと、前記ピクチャが１つ以上のタイルを有する、を行うように前記ビデオ復号装置を設定する命令を記憶したコンピュータ可読記憶媒体。
［Ｃ４０］  ビデオ符号化装置の１つ以上のプロセッサによって実行されたとき、ピクチャが第１のコード化モードに従って符号化されるか第２のコード化モードに従って符号化されるかを示すシンタックス要素を含むビットストリームを生成するように前記ビデオ符号化装置を設定する命令を記憶したコンピュータ可読記憶媒体であって、
前記第１のコード化モードでは、前記ピクチャが、波面並列処理（ＷＰＰ）を使用して完全に符号化され、
前記第２のコード化モードでは、前記ピクチャの各タイルが、ＷＰＰを使用せずに符号化され、前記ピクチャが１つ以上のタイルを有する、コンピュータ可読記憶媒体。